(57)【特許請求の範囲】
【請求項１】
ビデオ信号及びグラフィックデータをターゲットデバイスに伝送する装置において、
合成ディスプレイ内で前記グラフィックデータと関連して前記ビデオ信号が表示される方法を示すディスプレイ制御信号を生成して前記ディスプレイ制御信号を前記ターゲットデバイスに伝送して、前記ターゲットデバイスで前記ディスプレイ制御信号に基づいて前記ビデオ信号及び前記グラフィックデータを合成することによって前記合成ディスプレイを形成させる制御器を備え、
前記ディスプレイ制御信号は、ターゲットデバイスから伝送されるディスプレイ機能に関する情報に基づいて生成されることを特徴とする装置。
【請求項２】
前記制御器は、前記ターゲットデバイスのディスプレイ仕様及びディスプレイ機能のうち少なくとも一つを含んだ情報を前記ターゲットデバイスから受信することを特徴とする請求項１に記載の装置。
【請求項３】
前記制御器は、前記ターゲットデバイスに前記情報を質疑することを特徴とする請求項２に記載の装置。
【請求項４】
前記ターゲットデバイスから受信されたディスプレイ仕様及びディスプレイ機能のうち少なくとも一つを含んだ前記情報を貯蔵する貯蔵部をさらに含むことを特徴とする請求項２に記載の装置。
【請求項５】
前記制御器は、前記ターゲットデバイスのディスプレイ仕様及びディスプレイ機能のうち少なくとも一つが変わる時に前記貯蔵部内にある前記情報を自動で更新することを特徴とする請求項４に記載の装置。
【請求項６】
前記制御器は、前記ターゲットデバイスのディスプレイ仕様及びディスプレイ機能のうち一つが変わる時に前記ターゲットデバイスによる瞬時的受信によって前記貯蔵部に貯蔵された前記情報を更新することを特徴とする請求項４に記載の装置。
【請求項７】
前記制御器は、前記ターゲットデバイスから受信された前記情報を基礎に前記ディスプレイ制御信号を生成することを特徴とする請求項２に記載の装置。
【請求項８】
前記ディスプレイ制御信号は、
前記ターゲットデバイスをして上述した方式で前記ターゲットデバイスで可能なディスプレイ仕様及びディスプレイ機能のうち少なくとも一つを利用するように命令することを特徴とする請求項７に記載の装置。
【請求項９】
前記命令は、
オーディオビジュアル制御規約集合からベンダー従属命令を含むことを特徴とする請求項８に記載の装置。
【請求項１０】
前記ディスプレイ仕様及びディスプレイ機能のうち少なくとも一つは、
ピクチャーイングラフィック機能を含んで、前記命令は前記合成ディスプレイのうちビデオ領域のスタート位置及び大きさに関する情報をさらに備えることを特徴とする請求項８に記載の装置。
【請求項１１】
前記ディスプレイ仕様及びディスプレイ機能のうち少なくとも一つは、
前記ターゲットのディスプレイ部をサブ−スクリーンに分割するダブルスクリーン機能を含んで、前記命令は前記合成ディスプレイのビデオ領域が前記サブ−スクリーンのどちら側にディスプレイされなければならないかを示す情報をさらに含むことを特徴とする請求項８に記載の装置。
【請求項１２】
前記ディスプレイ仕様及びディスプレイ機能のうち少なくとも一つは、
クロマキーイング仕様を含むことを特徴とする請求項８に記載の装置。
【請求項１３】
前記ディスプレイ仕様及びディスプレイ機能のうち少なくとも一つは、
カラーキーイング仕様を含むことを特徴とする請求項８に記載の装置。
【請求項１４】
前記ビデオ信号、前記グラフィックデータ及び前記ディスプレイ制御信号はＩＥＥＥ １３９４シリアルインタフェースを通して前記ターゲットデバイスに伝送されることを特徴とする請求項１に記載の装置。
【請求項１５】
前記ビデオ信号、前記グラフィックデータ及び前記ディスプレイ制御信号は各々データパケットに伝送されることを特徴とする請求項１４に記載の装置。
【請求項１６】
前記ディスプレイ制御信号は、前記ビデオ信号及び前記グラフィックデータのデータパケットと他の別個のデータパケットを含むことを特徴とする請求項１４に記載の装置。
【請求項１７】
前記装置は、セットトップボックスをさらに備えて前記ターゲットデバイスはディジタルテレビジョン受像機を備えることを特徴とする請求項１に記載の装置。
【請求項１８】
前記ビデオ信号は、ＭＰＥＧ−２伝送ストリームを含むことを特徴とする請求項１７に記載の装置。
【請求項１９】
ソースから受信されたビデオ信号及びグラフィックデータをディスプレイする装置において、
前記ビデオ信号及び前記グラフィックデータを合成して合成ディスプレイを作るミキサーと、
前記ソースからディスプレイ制御信号を受信して前記合成ディスプレイ時に前記グラフィックデータと関連して前記ビデオ信号がディスプレイされる方法を指示することによって前記ミキサーを制御するプロセシング部とを含むことを特徴とする装置。
【請求項２０】
前記プロセシング部は、前記ソースにターゲットデバイスのディスプレイ仕様及びディスプレイ機能のうち少なくとも一つに関する情報を伝送することを特徴とする請求項１９に記載の装置。
【請求項２１】
前記プロセシング部は、前記ソースから要請を受けて前記情報を伝送することを特徴とする請求項２０に記載の装置。
【請求項２２】
前記情報は、
ピクチャーイングラフィック機能、ダブルスクリーン機能、クロマキーイング機能及びカラーキーイング機能のうち少なくとも一つを備える前記装置の可能なディスプレイ機能に対する指示を含むことを特徴とする請求項２０に記載の装置。
【請求項２３】
前記情報は、前記装置が前記ピクチャーイングラフィック機能を支援しているか否かを示して、前記装置が前記ピクチャーイングラフィック機能を支援する時に前記ビデオ信号がディスプレイされるスクリーンの許容可能な位置、スクリーンの大きさ及び解像度を含めて前記装置のディスプレイ仕様をさらに備えることを特徴とする請求項２２に記載の装置。
【請求項２４】
前記合成ディスプレイをディスプレイするディスプレイスクリーンをさらに備えることを特徴とする請求項２２に記載の装置。
【請求項２５】
前記情報は、前記装置が前記ディスプレイスクリーンをサブ−スクリーンに分割するダブルスクリーン機能を支援しているか否かを示して、前記装置が前記ダブルスクリーン機能を支援する時に前記ビデオ信号がディスプレイされるサブ−スクリーンのフィールドを示す情報をさらに備えることを特徴とする請求項２４に記載の装置。
【請求項２６】
前記情報は、前記装置が前記クロマキーイング機能を支援しているか否かを示すことを特徴とする請求項２２に記載の装置。
【請求項２７】
前記情報は、前記装置がカラーキーイング機能を支援しているか否かを示すことを特徴とする請求項２２に記載の装置。
【請求項２８】
前記ミキサーは、ＩＥＥＥ １３９４シリアルインタフェースを通して前記ソースから前記ビデオ信号、前記グラフィックデータ及び前記ディスプレイ制御信号を受信することを特徴とする請求項１９に記載の装置。
【請求項２９】
前記装置は、ディジタルテレビジョン受像機を備えて、前記ソースはセットトップボックスを備えることを特徴とする請求項２８に記載の装置。
【請求項３０】
前記ビデオ信号は、ＭＰＥＧ−２伝送ストリームを含むことを特徴とする請求項２９に記載の装置。
【請求項３１】
前記ミキサー及び前記プロセシング部と連結されて、前記ＭＰＥＧ２伝送ストリームを受信及び復号化して復号化されたビデオ信号を前記ミキサーに出力するビデオデコーダをさらに含むことを特徴とする請求項３０に記載の装置。
【請求項３２】
前記ミキサー及び前記プロセシング部と連結されて、前記グラフィックデータを受信及び処理して処理されたグラフィックデータを前記ミキサーに出力するグラフィック処理器をさらに含むことを特徴とする請求項３１に記載の装置。
【請求項３３】
ビデオ信号及びグラフィックデータをディスプレイするシステムにおいて、
前記ビデオ信号を前記グラフィックデータと関連して表示する方法を指示するディスプレイ制御信号を伝送する、前記ビデオ信号及び前記グラフィックデータのソースと、
前記ビデオ信号、グラフィックデータ、前記ディスプレイ制御信号を受信して、前記ディスプレイ制御信号で規定した方法で前記ビデオ信号及びグラフィックデータを合成して合成ディスプレイを形成するターゲットとを含み、
前記ディスプレイ制御信号は、ターゲットデバイスから伝送されるディスプレイ機能に関する情報に基づいて生成されることを特徴とするシステム。
【請求項３４】
前記ソースは、前記ターゲットから前記ターゲットのディスプレイ仕様及びディスプレイ機能のうち少なくとも一つを含んだ情報を受信することを特徴とする請求項３３に記載のシステム。
【請求項３５】
前記ターゲットは、前記ソースの問い合わせによって前記情報を追加提供することを特徴とする請求項３４に記載のシステム。
【請求項３６】
前記情報は、
ピクチャーイングラフィック機能、ダブルスクリーン機能、クロマキーイング機能及びカラーキーイング機能のうち少なくとも一つを含んだ前記ターゲットの可能なディスプレイ機能を示すことを特徴とする請求項３４に記載のシステム。
【請求項３７】
前記情報は、
前記ターゲットが前記ピクチャーイングラフィック機能を支援しているか否かを示して、前記ターゲットによって前記ピクチャーイングラフィック機能が支援される時に前記ビデオ信号がディスプレイされるスクリーンの許容可能な位置、スクリーンサイズ及び解像度を含む前記ターゲットのディスプレイ仕様をさらに備えることを特徴とする請求項３６に記載のシステム。
【請求項３８】
前記ターゲットは、前記合成ディスプレイをディスプレイするディスプレイスクリーンをさらに備えることを特徴とする請求項３６に記載のシステム。
【請求項３９】
前記情報は、前記ディスプレイスクリーンをサブスクリーンに分割するダブルスクリーン機能が前記ターゲットによって支援されているか否かを示して、前記ターゲットによって前記ダブルスクリーン機能が支援される時に前記ビデオ信号がディスプレイされるサブ−スクリーンのフィールドを示す情報をさらに備えることを特徴とする請求項３８に記載のシステム。
【請求項４０】
前記情報は、前記クロマキーイング機能が前記ターゲットによって支援されているか否かを示すことを特徴とする請求項３６に記載のシステム。
【請求項４１】
前記情報は、前記カラーキーイング機能が前記ターゲットによって支援されているか否かを示すことを特徴とする請求項３６に記載のシステム。
【請求項４２】
前記ソースは、セットトップボックスを備えて前記ターゲットはディジタルテレビジョン受像機を備え、前記セットトップボックス及び前記ディジタルテレビジョン受像機はＩＥＥＥ １３９４シリアルインタフェースを通して相互通信することを特徴とする請求項３３に記載のシステム。
【請求項４３】
前記ビデオ信号は、ＭＰＥＧ２伝送ストリームを含むことを特徴とする請求項４２に記載のシステム。
【請求項４４】
前記ターゲットは、
ミキサー及び制御器と連結されて、前記ＭＰＥＧ−２伝送ストリームを受信及び復号化してそれによって復号化されたビデオ信号を前記ミキサーに出力するビデオデコーダをさらに含むことを特徴とする請求項４３に記載のシステム。
【請求項４５】
前記ターゲットは、
前記ミキサー及び制御器と連結されて、前記グラフィックデータを受信及び処理してそれによって処理されたグラフィックデータを前記ミキサーに出力するグラフィック処理部をさらに含むことを特徴とする請求項４４に記載のシステム。
【請求項４６】
前記ソースは、
前記ターゲットから受信された前記情報を貯蔵する貯蔵部をさらに含むことを特徴とする請求項３４に記載のシステム。
【請求項４７】
前記ソースは、前記ターゲットから受信された前記情報に基づいて前記ディスプレイ制御信号を生成することを特徴とする請求項３４に記載のシステム。
【請求項４８】
前記ディスプレイ制御信号は、
上述した方式で前記ターゲットで可能なディスプレイ仕様及びディスプレイ機能のうち少なくとも一つを利用するように前記ターゲットに指示する命令を含むことを特徴とする請求項４７に記載のシステム。
【請求項４９】
前記命令は、
オーディオビジュアル制御トランザクション集合で用いることができるベンダー従属命令を含むことを特徴とする請求項４８に記載のシステム。
【請求項５０】
前記ディスプレイ仕様及びディスプレイ機能のうち少なくとも一つは、
ピクチャーイングラフィック機能を含み、前記命令は前記合成されたディスプレイのビデオ領域の大きさ及びスタート位置に関する情報をさらに含むことを特徴とする請求項４８に記載のシステム。
【請求項５１】
前記ディスプレイ仕様及びディスプレイ機能のうち少なくとも一つは、
前記ターゲットのスクリーンを複数のサブスクリーンに分割するダブルスクリーン機能を含み、この時に前記命令は前記サブスクリーンのどちら側に前記合成ディスプレイのビデオ領域をディスプレイするのかを示す情報をさらに含むことを特徴とする請求項４８に記載のシステム。
【請求項５２】
前記ディスプレイ仕様及びディスプレイ機能のうち少なくとも一つは、
クロマキーイング機能を含むことを特徴とする請求項４８に記載のシステム。
【請求項５３】
前記ディスプレイ仕様及びディスプレイ機能のうち少なくとも一つは、
カラーキーイング機能を含むことを特徴とする請求項４８に記載のシステム。
【請求項５４】
前記ディスプレイ仕様及びディスプレイ機能のうち少なくとも一つは前記ターゲットのディスプレイ仕様及びディスプレイ機能に関する情報ブロックを含み、前記情報ブロックは、
前記ブロックの種及び大きさを規定する、＜Ｃｏｍｐｏｕｎｄ＿Ｌｅｎｇｔｈ＞フィールド、＜Ｉｎｆｏ＿Ｂｌｏｃｋ＿Ｔｙｐｅ＞フィールド、＜Ｐｒｉｍａｒｙ＿Ｆｉｅｌｄｓ＿Ｌｅｎｇｔｈ＞と、
前記ブロックの供給者身分を含む＜Ｓｐｅｃｉｆｉｅｒ＿Ｉｄ＞と、
前記ターゲットによってＰＩＧ機能が支援されているか否かということと前記ターゲットが従うＰＩＧ標準によって前記機能が支援されているか否かということのうち一つを指す＜ＰＩＧ＞フィールドと、
スクリーンの規定可能な位置の範囲を明示した＜Ｖｉｄｅｏ ｍｉｎ Ｘ ｐｏｓｉｔｉｏｎ＞、＜Ｖｉｄｅｏ ｍａｘ Ｘ ｐｏｓｉｔｉｏｎ＞、＜Ｖｉｄｅｏ ｍｉｎ Ｙ ｐｏｓｉｔｉｏｎ＞、＜Ｖｉｄｅｏ ｍａｘ Ｙ ｐｏｓｉｔｉｏｎ＞と、
前記ターゲットによって支援されるスケールファクタを示す＜Ｖｉｄｅｏ Ｓｉｚｅ＞フィールドと、
前記ターゲットによってダブルスクリーン機能やスプリットスクリーン機能が支援されているか否かを示す＜Ｄｏｕｂｌｅ Ｓｃｒｅｅｎ＞フィールドと、
前記ダブルスクリーンのうちどちら側に前記ビデオ信号がディスプレイされるかを示す＜Ｌｅｆｔ ｏｒ Ｒｉｇｈｔ Ｅｎａｂｌｅ＞フィールドと、
前記ターゲットによってクロマキーイング機能が支援されているか否かを明示した＜Ｃｈｒｏｍａ Ｋｅｙｉｎｇ＞フィールドと、
前記ターゲットによってカラーキーイング機能が支援されているか否かを明示した＜Ｃｏｌｏｒ Ｋｅｙｉｎｇ＞フィールドとを含むことを特徴とする請求項３４に記載のシステム。
【請求項５５】
前記命令は、
前記命令の種を明示する＜ＡＶ／Ｃ ＣＴＳ（０、ｘ０）＞フィールド、＜Ｃｔｙｐｅ＞フィールド、＜Ｓｕｂｕｎｉｔ＞フィールド、＜Ｓｕｂｕｎｉｔ＿Ｉｄ＞フィールド及び＜Ｏｐｃｏｄｅ（０ｘ００）＞フィールドと、
特定命令を支援するベンダーを識別する＜Ｃｏｍｐａｎｙ＿Ｉｄ＞フィールドと、
スクリーンの始めるＸ座標に対する最上位ビットと最下位ビットを示すビデオＸ位置フィールドと、
前記スクリーンの始めるＹ座標に対する最上位ビットと最下位ビットを示すビデオＹ位置フィールドと、
前記スクリーンに対するスケールファクタを明示する＜Ｖｉｄｅｏ Ｓｉｚｅ＞とを備えることを特徴とする請求項４８に記載のシステム。
【請求項５６】
ソースからターゲットにビデオ信号及びグラフィックデータを伝送する方法において、
前記ターゲットで前記ビデオ信号とグラフィックデータとを合成して作られた合成ディスプレイ内で前記グラフィックデータと関連して前記ビデオ信号がどんな方式でディスプレイされなければならないかを命令したディスプレイ制御信号を、前記ソースから前記ターゲットに伝送する段階を含み、
前記ディスプレイ制御信号は、ターゲットデバイスから伝送されるディスプレイ機能に関する情報に基づいて生成されることを特徴とするデータ伝送方法。
【請求項５７】
前記ターゲットのディスプレイ仕様及びディスプレイ機能のうち少なくとも一つを有した情報を前記ターゲットから前記ソースに伝送する段階と、
前記ターゲットから受信された前記情報に基づいて前記ディスプレイ制御信号を生成する段階を含むことを特徴とする請求項５６に記載のデータ伝送方法。
【請求項５８】
前記ソースから前記ターゲットに、前記情報を受信するための質疑を伝送する段階と、
前記ターゲットから前記ソースに前記情報を伝送する段階と、
前記ターゲットから受信された前記情報を基礎に前記ディスプレイ制御信号を生成する段階とを含むことを特徴とする請求項５７に記載のデータ伝送方法。
【請求項５９】
前記ソース内で前記情報を貯蔵する段階をさらに含むことを特徴とする請求項５７に記載のデータ伝送方法。
【請求項６０】
前記ターゲットのディスプレイ仕様及びディスプレイ機能のうち少なくとも一つが変わる時に前記貯蔵された情報を自動で更新する段階をさらに含むことを特徴とする請求項５９に記載のデータ伝送方法。
【請求項６１】
前記ターゲットのディスプレイ仕様及びディスプレイ機能のうち少なくとも一つが変化する時に前記ターゲットから速かにその変化事項を受信する段階と、
前記ターゲットから即時受信したことを基礎に貯蔵された情報を更新する段階をさらに含むことを特徴とする請求項５９に記載のデータ伝送方法。
【請求項６２】
前記情報がピクチャーイングラフィック機能、ダブルスクリーン機能、クロマキーイング機能及びカラーキーイング機能のうち少なくとも一つをターゲットが支援することを示しているか否かを検出する段階をさらに含むことを特徴とする請求項５８に記載のデータ伝送方法。
【請求項６３】
前記情報が前記ピクチャーイングラフィック機能が前記ターゲットによって支援されることを示しているか否かを判断する段階と、
前記情報から、前記ターゲットによって前記ピクチャーイングラフィック機能が支援される時に前記ビデオ信号がディスプレイされるディスプレイスクリーンの許容可能な位置、スクリーン大きさ及び解像度を備える前記ターゲットのディスプレイ仕様を得る段階とを含むことを特徴とする請求項６２に記載のデータ伝送方法。
【請求項６４】
前記情報が前記ターゲットによってディスプレイスクリーンをサブスクリーンに分割するダブルスクリーン機能が支援されることを示しているか否かを判断する段階をさらに含んで、この時に前記情報は前記ターゲットによって前記ダブルスクリーン機能が支援される時に前記ビデオ信号がディスプレイされるサブ−スクリーンのフィールドを示す情報を備えることを特徴とする請求項６２に記載のデータ伝送方法。
【請求項６５】
前記情報が前記ターゲットによって前記クロマキーイング機能が支援されることを示しているか否かを判断する段階をさらに含むことを特徴とする請求項６２に記載のデータ伝送方法。
【請求項６６】
前記情報が前記ターゲットによって前記カラーキーイング機能が支援されることを示しているか否かを判断する段階をさらに含むことを特徴とする請求項６２に記載のデータ伝送方法。
【請求項６７】
前記ディスプレイ制御信号を伝送する段階は、
上述した方式で前記ターゲットで利用可能な前記ディスプレイ仕様及び機能のうち少なくとも一つを前記ターゲットが活用するように指示する命令を前記ソースから伝送する段階を備えることを特徴とする請求項６２に記載のデータ伝送方法。
【請求項６８】
前記命令は、
オーディオビジュアル制御トランザクション集合から利用可能なベンダー従属命令を含むことを特徴とする請求項６７に記載のデータ伝送方法。
【請求項６９】
前記命令は、
前記ターゲットがピクチャーイングラフィック機能を利用するように指示する命令を含んで、その命令はまた前記合成ディスプレイのビデオ領域の大きさ及びスタート位置に対する情報をさらに含むことを特徴とする請求項６７に記載のデータ伝送方法。
【請求項７０】
前記命令は、
前記ターゲットがディスプレイ部のスクリーンを複数のサブスクリーンに分割するようにダブルスクリーン機能を利用するように指示する命令を含んで、その命令はまた前記合成されたディスプレイのビデオ部分が前記サブスクリーンのどちら側にディスプレイされなければならないかを示す情報をさらに含むことを特徴とする請求項６７に記載のデータ伝送方法。
【請求項７１】
前記一つ以上の命令は、
前記ターゲットが前記クロマキーイング機能を利用するように指示する命令を含むことを特徴とする請求項６７に記載のデータ伝送方法。
【請求項７２】
前記命令は、
前記ターゲットが前記カラーキーイング機能を利用するように指示する命令を含むことを特徴とする請求項６７に記載のデータ伝送方法。
【請求項７３】
ソースからターゲットにビデオ信号及びグラフィックデータを伝送する方法を具現するためのコンピュータプログラムを貯蔵したコンピュータ判読貯蔵媒体において、
前記コンピュータプログラムは、
前記ソースから前記ターゲットにディスプレイ制御信号を伝送する処理過程を含み、前記ディスプレイ制御信号は前記ビデオ信号及びグラフィックデータを前記ターゲットで合成することによって作られた合成ディスプレイ内で前記グラフィックデータと関連して前記ビデオ信号がディスプレイされる方法を指示し、
前記ディスプレイ制御信号は、ターゲットデバイスから伝送されるディスプレイ機能に関する情報に基づいて生成されることを特徴とするコンピュータ判読貯蔵媒体。
【請求項７４】
前記コンピュータプログラムは、
前記ターゲットから前記ソースに、前記ターゲットのディスプレイ仕様及びディスプレイ機能のうち少なくとも一つを備える情報を伝送する段階と、
前記ターゲットから受信された前記情報を基盤に前記ディスプレイ制御信号を生成する段階とを含むことを特徴とする請求項７３に記載のコンピュータ判読貯蔵媒体。
【請求項７５】
前記コンピュータプログラムは、
前記ソースから前記ターゲットに前記情報を受信するための質疑を伝送する段階と、
前記ターゲットから前記ソースに前記情報を伝送する段階と、
前記ターゲットから受信された前記情報を基盤に前記ディスプレイ制御信号を生成する段階とをさらに含むことを特徴とする請求項７４に記載のコンピュータ判読貯蔵媒体。
【請求項７６】
前記コンピュータプログラムは、前記ソースで前記情報を貯蔵する段階をさらに含むことを特徴とする請求項７４に記載のコンピュータ判読貯蔵媒体。
【請求項７７】
前記コンピュータプログラムは、前記ターゲットのディスプレイ仕様及びディスプレイ機能のうち少なくとも一つが変わる時に前記貯蔵された情報を自動で更新する段階を含むことを特徴とする請求項７６に記載のコンピュータ判読貯蔵媒体。
【請求項７８】
前記コンピュータプログラムは、
前記ターゲットのディスプレイ仕様及びディスプレイ機能のうち少なくとも一つが変化する時に前記ターゲットから即刻的な情報を受信する段階と、
前記ターゲットから受信された即刻的な情報受信によって前記貯蔵された情報を更新する段階とをさらに含むことを特徴とする請求項７６に記載のコンピュータ判読貯蔵媒体。
【請求項７９】
前記コンピュータプログラムは、前記情報が前記ターゲットがピクチャーイングラフィック機能、ダブルスクリーン機能、クロマキーイング機能及びカラーキーイング機能のうち少なくとも一つを支援することを示しているか否かを検出する段階をさらに含むことを特徴とする請求項７４に記載のコンピュータ判読貯蔵媒体。
【請求項８０】
前記コンピュータプログラムは、
前記情報が前記ターゲットによって前記ピクチャーイングラフィック機能が支援されることを示しているか否かを判断する段階と、
前記ターゲットによって前記ピクチャーイングラフィック機能が支援される時に前記ビデオ信号がディスプレイされるディスプレイスクリーンの許容可能な位置、スクリーン大きさ及び解像度を含むディスプレイ仕様及び機能を前記情報から得る段階とをさらに含むことを特徴とする請求項７９に記載のコンピュータ判読貯蔵媒体。
【請求項８１】
前記コンピュータプログラムは、前記情報がディスプレイスクリーンがサブスクリーンに分割される前記ダブルスクリーン機能が前記ターゲットによって支援されることを示しているか否かを判断する段階をさらに含んで、この時に前記情報は前記ダブルスクリーン機能がターゲットによって支援される時に前記ビデオ信号がディスプレイされるサブ−スクリーンのフィールドを示す情報をさらに備えることを特徴とする請求項７９に記載のコンピュータ判読貯蔵媒体。
【請求項８２】
前記コンピュータプログラムは、前記情報が前記クロマキーイング機能が前記ターゲットによって支援されることを示しているか否かを判断する段階をさらに含むことを特徴とする請求項７９に記載のコンピュータ判読貯蔵媒体。
【請求項８３】
前記コンピュータプログラムは、前記情報が前記カラーキーイング機能が前記ターゲットによって支援されることを示しているか否かを判断する段階をさらに含むことを特徴とする請求項７９に記載のコンピュータ判読貯蔵媒体。
【請求項８４】
前記ディスプレイ制御信号を生成する段階は、
前記ソースから前記ターゲットが上述した方式でターゲットで適用可能なディスプレイ仕様及びディスプレイ機能のうち少なくとも一つを活用せよと指示する命令を伝送する段階をさらに含むことを特徴とする請求項７９に記載のコンピュータ判読貯蔵媒体。
【請求項８５】
前記命令は、
オーディオビジュアル制御トランザクション集合から適用可能なベンダー従属命令をさらに備えることを特徴とする請求項８４に記載のコンピュータ判読貯蔵媒体。
【請求項８６】
前記命令は、前記ターゲットに前記ピクチャーイングラフィック機能を活用せよと指示する命令を含んで、この時に前記命令は前記合成ディスプレイのビデオ領域の大きさ及びスタート位置に関する情報をさらに含むことを特徴とする請求項８４に記載のコンピュータ判読貯蔵媒体。
【請求項８７】
前記命令は、
前記ターゲットがディスプレイ部のスクリーンを複数のサブスクリーンに分割するようにする前記ダブルスクリーン機能を活用するように指示する命令を含んで、この時に前記命令は前記合成ディスプレイのビデオ部分が前記複数のサブスクリーンのどちら側にディスプレイされるべきかを示す情報をさらに含むことを特徴とする請求項８４に記載のコンピュータ判読貯蔵媒体。
【請求項８８】
前記命令は、
前記ターゲットをして前記クロマキーイング機能を活用するように指示する命令を含むことを特徴とする請求項８４に記載のコンピュータ判読貯蔵媒体。
【請求項８９】
前記命令は、
前記ターゲットをして前記カラーキーイング機能を活用するように指示する命令を含むことを特徴とする請求項８４に記載のコンピュータ判読貯蔵媒体。
【発明の詳細な説明】
【０００１】
【発明の属する技術分野】
本発明は一般にデータ交換及びその処理方法に係り、さらに詳細にはグラフィックデータを受けてディスプレイするターゲットにソースからグラフィックデータを伝送して、特にそのグラフィックデータのソースがグラフィックデータがターゲットで如何に表示されるべきかを制御する方法及び装置に関する。
【０００２】
【従来の技術】
最近にはテレビ放送局、衛星放送サービス、ビデオ供給サービス等のように、ビデオ信号を受信及び／または表示するための製品が夥しく存在している。このようなビデオ信号受信器はアナログ形式のみでなされたビデオ信号を受信及び処理するものから、ディジタル形式のビデオ信号を受信及び処理するもの及びアナログとディジタル形式のビデオ信号を受信及び処理できるものまでを網羅している。ある製品は記録機能等のようなその他の総合機能を備えている。ビデオ信号を表示する可能な特性（例えば、ピクチャーインピクチャー（ＰＩＰ；Ｐｉｃｔｕｒｅ−ｉｎ−ｐｉｃｔｕｒｅ）機能、ピクチャーイングラフィック（ＰＩＧ；Ｐｉｃｔｕｒｅ−ｉｎ−ｇｒａｐｈｉｃｓ）機能、ダブルスクリーン等）も製品間で幅広く変化している。
【０００３】
これと共に空中波放送局、ケーブル運営者、直接衛星サービス、ライブビデオ供給サービス等のように、ビデオ信号を伝送するための多様な製品またはソースができる。このソースのうち多くのものがビデオ信号に追加して、プログラムガイド、広告、付加価値サービス（例えば、株式市況、ニュースサービス等）などを提供するために受信器で表示されるグラフィックデータを伝送する。グラフィックデータはテキスト、停止映像、対話形メニュースクリーン等いかなるビジュアル形態にもできて、一方グラフィックデータそれ自体がまた他のビデオストリームになりうる。
【０００４】
例えば、図１Ａは一般的なビデオ及びグラフィックデータ伝送及び受信装置１００を示すものであって、ここでビデオ信号のソースであるＡ／Ｖソース１０１はＡ／Ｖターゲット１０２のような受信器にビデオ信号と一緒にグラフィックデータを伝送する。普通、グラフィックデータとビデオ信号はＡ／Ｖターゲット１０２にあるミキサー１０４によって結合されて、結合された信号はディスプレイ１０３に送られてグラフィックデータ及び／ビデオのディスプレイが見る人物に提供される。
【０００５】
しかし、上述した一般的なビデオ／グラフィック伝送及び受信システムでは、Ａ／Ｖソース１０１がビデオ及びグラフィックデータが如何に結合されるかに関する情報を伝送しないために、Ａ／Ｖターゲット１０２が特別にグラフィックデータと一緒に同時に表示されるビデオ信号と関連してグラフィックデータが如何に表示されるべきかを決めなければならない。したがって、ミキサー１０４はＡ／Ｖソース１０１のようなグラフィックデータのソースがグラフィックデータを表示するために如何に意図しているかを知らないまま、受信されたビデオ信号とグラフィックデータを結合する。ミキサー１０４は普通、Ａ／Ｖターゲット１０２がＰＩＰ、ＰＩＧ、ダブルスクリーン等のようなさらに向上されたディスプレイ機能が可能なものだとしても、単純な重畳のように二信号を結合する最も単純な方法に依存する。
【０００６】
詳細に説明すると、例えばＩＥＥＥ １３９４シリアルインタフェース（ＩＥＥＥ １３９４と明示されたように、１９９５年に公開された高性能シリアルバスに対する標準は、ここで単に参考にするために用いられる）を通してセットトップボックス（ＳＴＢ）と連結されたディジタルテレビジョン（ＤＴＶ）の場合、ＤＴＶはＳＴＢからグラフィックデータとビデオ信号（すなわち、ＭＰＥＧ伝送ストリーム）を受信する。ビデオ信号とグラフィックデータの伝送は、米国等で電子工業協会（ＥＩＡ）標準である、２０００年４月に公開されたＥＩＡ−７７５−Ａ、“ＤＴＶ  １３９４インタフェース仕様”と１９９９年６月公開されたＥＩＡ−７９９、“オンスクリーンディスプレイ仕様”等のような標準により、上述した二標準はここで単に参考用として用いるだけである。このような標準はＳＴＢに対して、ビデオ信号と結合されたりそれ自体としてグラフィックが表示されうる方法に関する制御情報を伝送する手段を提供できないために、その二表示が如何に比率配分されて相互に対して結合されるようにしているかを決定することは相変わらず受信器、すなわちＤＴＶにそっくり残されるようになる。
【０００７】
既存の標準はせいぜい、グラフィックデータに対する位置、大きさ及びピクセルの利得ファクタを定義する“ピクセル定義”仕様を許容してビデオディスプレイ上にグラフィックデータディスプレイを重ねるようにすることによって二ディスプレイの混合及び同時ディスプレイを可能にする。すなわち、グラフィックデータを減少させて、背景とみることができるビデオディスプレイと一緒にグラフィックデータを全景に多少透明にあらわす。しかし、ピクセル定義はグラフィックデータの一部であってビデオディスプレイとグラフィックディスプレイ間の関係を規定はしない。また、これら従来のシステムはいままでグラフィックデータのソースをしてビデオディスプレイがグラフィックデータディスプレイに対して如何に配分されなければならないかを明示するように許容しない。したがって、従来の多くのディジタルテレビジョン受像機がＰＩＰ、ＰＩＧ、ダブルスクリーン、クロマキーイング（Ｃｈｒｏｍａ  Ｋｅｙｉｎｇ）、カラーキーイング等のような向上されたディスプレイ機能を有するという事実にもかかわらず、この機能はＤＴＶをして如何にグラフィックデータがディスプレイされなければならないかを分からしめるのに用いられない。したがって、従来のシステムでＤＴＶは普通グラフィックスのような一つのディスプレイをビデオ信号のような他のディスプレイ上に単純に重畳するだけである。グラフィックデータ／ビデオ信号は図１Ａ及び図１Ｂのようにディスプレイされる。
【０００８】
したがって、受信器は図１Ｂに図示されたように全体スクリーン上にグラフィックデータ１０５のみディスプレイしたり、せいぜい図１Ｃのようにグラフィックデータに覆われてビデオディスプレイ領域を遮るような方式でグラフィックデータ１０６及びビデオ信号１０７を同時にディスプレイする。
【０００９】
上述した従来のグラフィック／ビデオ伝送及びディスプレイ方法、そしてシステムは受信器／ディスプレイ製品の可能なディスプレイ機能を活用しないので、最も効果的で最もユーザー親和的なグラフィック／ビデオのディスプレイを提供していない。
【００１０】
また従来の方法及びシステムは、今までグラフィックデータがディスプレイされる最も望ましい方法を決定するグラフィックデータのソースをして、グラフィックデータディスプレイがビデオディスプレイに対して如何に比率配分されて見る人物（ｖｉｅｗｅｒ）に見られるのかを明示させなかった。
【００１１】
【発明が解決しようとする課題】
本発明の目的は、受信器／ディスプレイ製品のディスプレイ機能を最も効果的に活用しながらグラフィックデータのユーザー親和的ディスプレイを可能にするグラフィックデータ伝送及び表示の方法及びシステムを提供することにある。
【００１２】
本発明の目的は、グラフィックデータのソースをして、少なくとも部分的にグラフィックデータがビデオディスプレイと関連して如何に配分されて究極的に見る人物にディスプレイされるべきかを定めさせるグラフィックデータ伝送及び表示方法及びシステムを提供することにある。
【００１３】
【課題を解決するための手段】
前記の目的を達成するための本発明によると、ビデオ信号とグラフィックデータをターゲットデバイスに伝送する装置は、合成ディスプレイ時に前記ビデオ信号がグラフィックデータと関連してディスプレイされる方法を指示するディスプレイ制御信号を発生して前記ディスプレイ制御信号を前記ターゲットデバイスに伝送して、ターゲットデバイスから前記ディスプレイ制御信号によってビデオ信号とグラフィックデータとを合成することによって合成ディスプレイを形成させる制御器を含む。
【００１４】
また、本発明によると、ソースから受信されたビデオ信号及びグラフィックデータを表示する装置は、ビデオ信号とグラフィックデータとを合成して合成されたディスプレイを形成するミキサーと、前記合成ディスプレイ時にグラフィックデータと関連してビデオ信号が表示される方法を指示して前記ミキサーを制御するために前記ソースからディスプレイ制御信号を受信するプロセシング部とを含む。
【００１５】
本発明の他の様相によると、ビデオ信号とグラフィックデータを表示するシステムは、グラフィックデータと関連してビデオ信号が表示される方法を指示するディスプレイ制御信号を伝送するビデオ信号及びグラフィックデータのソースと、前記ビデオ信号、グラフィックデータ及びディスプレイ制御信号を受信して、前記ディスプレイ制御信号によって指示された方法で前記ビデオ信号とグラフィックデータを結合して合成ディスプレイを作るターゲットとを含む。
【００１６】
本発明のまた他の様相によると、ソースからターゲットにビデオ信号とグラフィックデータを伝送する方法は、前記ターゲットでビデオ信号とグラフィックデータを結合して作られる合成ディスプレイ内でグラフィックデータと関連してビデオ信号が表示される方法を規定するディスプレイ制御信号をソースからターゲットに伝送する段階を含む。
【００１７】
本発明のまた他の様相によると、ソースからターゲットにビデオ信号及びグラフィックデータを伝送する方法を具現するためのコンピュータプログラムが貯蔵されており、前記コンピュータプログラムはソースからターゲットに、前記ターゲットで前記ビデオ信号とグラフィックデータを結合して形成された合成ディスプレイ内でグラフィックデータと関連してビデオ信号が表示される方法を規定するディスプレイ制御信号を伝送する処理過程を含んだコンピュータ判読貯蔵媒体が提供される。
【００１８】
【発明の実施の形態】
以下、添付された図面を参照して本発明を詳細に説明する。
【００１９】
説明の目的として、本発明の原理は典型的な実施形態、特にセットトップボックスのようなグラフィックデータのソース及びテレビジョン受像機のような受信器がＩＥＥＥ １３９４シリアルインタフェースを経由して連結及び通信される本発明の実施形態を参照して説明する。しかし、この分野の当業者であれば他のインタフェース手段を通して通信する他種のグラフィックデータソースと受信器を利用しても同一な原理が同等に適用及び具現でき、このようないかなる変化も本発明の精神と範疇から外れることがなくこのような変形内にあり得ることを理解できることである。
【００２０】
本発明の一実施形態によると、放送プログラム、映画などになれるビデオ信号のソースまたビデオ信号と一緒に表示されるグラフィックデータをターゲットに伝送することができる。グラフィックデータは例えばテキスト、停止画像、対話形メニュー、ビデオストリームなどのようにいかなるビジュアル形態にもなれる情報を示し、ビデオ信号と関連する場合も関連しない場合もある。ビデオ信号のソースはビデオ信号のディスプレイと関連してグラフィックデータが如何に表示されなけらばならないのかに関する制御情報も伝送する。例えば、ビデオ信号ソースは、例えばＰＩＧ、ダブルスクリーンディスプレイ等内におけるグラフィックデータディスプレイとビデオ信号ディスプレイの相対的大きさ及び比率を提供できる。
【００２１】
本発明の特定の様相によると、ソースはターゲットにターゲットのディスプレイ機能に対して質問できて、それによってターゲットの可能なディスプレイ機能を効果的に活用する適した制御信号を伝送する。
【００２２】
図２Ａは、本発明の一実施形態によるグラフィックデータ伝送及びディスプレイシステムの関連部を示す。図示されたように、グラフィックデータ伝送及びディスプレイシステム２００は当業者に知られているある通信ユニットを通してＡ／Ｖターゲット２０２にグラフィックデータとビデオ信号を提供するＡ／Ｖソース２０１を含む。Ａ／Ｖソース２０１はグラフィックデータとビデオ信号がＡ／Ｖターゲット２０２に如何に出力されてディスプレイされるかに関する情報を示すディスプレイ制御信号を発生する、当業者によく知られたマイクロプロセッサー、マイクロ−コントローラ等で有り得る制御器（図示せず）を含むことができる。ディスプレイ制御信号はグラフィックデータとビデオ信号を表示するために利用されるディスプレイ特性（例えば、ＰＩＧ、ＰＩＰ、ダブルスクリーン等）の識別、グラフィックデータとビデオディスプレイ各々の相対的大きさ及び／または比率などを含むことができる。
【００２３】
本発明の一実施形態によると、Ａ／Ｖソース２０１はＡ／Ｖターゲット２０２からＡ／Ｖターゲット２０２のスクリーンサイズ、解像度等のようなディスプレイ仕様及び／またはＰＩＧ、ＰＩＰ、ダブルスクリーン、カラー及び／または色度キーイング等のような可能なディスプレイ機能に対する情報を受信する。この情報はＡ／Ｖソース２０１からの要請によってＡ／Ｖターゲット２０２によって提供されたり、周期的に、またはリセット／パワーアップなどの途中であるとかＡ／Ｖソース２０１及びＡ／Ｖターゲット２０２間の初期連結時のような所定事件等によってＡ／Ｖターゲット２０２によって自動で送られる。Ａ／Ｖソース２０１はＡ／Ｖターゲット２０２から受信された情報を処理してＡ／Ｖターゲット２０２に供給されるグラフィックデータとビデオ信号によってＡ／Ｖターゲット２０２の仕様及び／または機能に最大限合うようにＡ／Ｖターゲット２０２への適するディスプレイ制御信号を生成することによって、最もユーザー親和的でありながら視聴者に効率的なディスプレイを提供できる。特に、ソース２０１はターゲット２０２から受信された情報を利用してディスプレイされるスクリーンの大きさとビデオ信号及びグラフィックデータの合成フォーマットを決定する。例えば、もしもＡ／Ｖターゲット２０２（ＤＴＶ）におけるスクリーンやディスプレイユニットの大きさ及び解像度が各々６０インチと１９２０ｘ１２００であって、ダブルスクリーン機能が支援されると、ソース２０１はこの情報を参考にしてＡ／Ｖターゲット２０２のスクリーン大きさと解像度に最も合うビデオ信号及びグラフィックデータの適する合成スクリーンを生成する。この例で、スクリーン合成は次に説明する図２Ｃと同一である。
【００２４】
本発明の一実施形態で、Ａ／Ｖターゲット２０２から受信された情報はＡ／Ｖソース２０１の貯蔵部（図示せず）に貯蔵されるので、特定グラフィックデータがＡ／Ｖターゲット２０２に送られる時ごとに質疑されない。本発明の他の様相によると、この情報は周期的であるか、Ａ／Ｖターゲット２０２の仕様及び機能中どれでも変化する時Ａ／Ｖターゲット２０２によって即時更新できる。
【００２５】
ミキサー２０４は、ビデオ信号、グラフィックデータ及びディスプレイ制御信号を受信してビデオ信号とグラフィックデータとを合成してディスプレイ制御信号による合成信号を作る。ミキサー２０４は合成ビデオ及びグラフィックをＡ／Ｖターゲット２０２の視聴者／ユーザーに表示するディスプレイ部２０３のスクリーンにその合成信号を伝送する。
【００２６】
図２Ａに図示された例がビデオ信号、グラフィックデータ及びディスプレイ制御信号のための３つの分離された信号経路を図示しているが、そうした信号がシリアル通信／伝送ラインを通る等、いかなる伝送方法を利用してでも伝送できることは自明なことである。本発明の一実施形態で、ビデオ信号、グラフィックデータ及びディスプレイ制御信号はディジタル通信分野の業者には熟練しているビットパケットであるＩＥＥＥ １３９４シリアルインタフェースなどのシリアルインタフェースを通して伝送される。また、一つのパケットにはビデオ信号、グラフィックデータ及びディスプレイ制御信号のある組合せが含まれたり、他の代案で、各々のビデオ信号、グラフィックデータ及びディスプレイ制御信号が各々別個の独自的パケットを含むことができる。
【００２７】
図２Ｂは、本発明のいくつかの長所を示す。図２Ｂはディスプレイ制御信号を通してピクチャーイングラフィック（ＰＩＧ）機能を可能にするＡ／Ｖソース２０１によって提供されたグラフィックデータをディスプレイするディスプレイ部２０３を図示している。図１Ｂとは反対に、グラフィックデータ２０５とビデオデータ２０６は同時にディスプレイされており、同時にビデオディスプレイウィンドウの大きさ及び／または位置がＡ／Ｖソース２０１からのディスプレイ制御信号によって設定される。本発明の様相によると、ビデオデータ２０６は視聴者選択アイコンに提供でき、このアイコンが選択される時にビデオデータ２０６がスクリーン上にあらわれるようになる。
【００２８】
図２Ｃは、Ａ／Ｖソース２０１からのディスプレイ制御信号を通してＡ／Ｖターゲット２０２のダブルスクリーン機能を可能にするＡ／Ｖソース２０１によって提供されたグラフィックデータを表示するディスプレイ部２０３を図示している。図１Ｃとは対照的に、ディスプレイはビデオデータ２０８の領域を遮ることなく、ディスプレイ部２０３の各々の領域内に全体グラフィックデータ２０７とビデオデータ２０８をディスプレイすることによって、視聴者がビデオデータ２０８の全体内容がわかるようにする。
【００２９】
周知したように、上述した本発明によるシステムはＡ／Ｖソース２０１がビデオ信号と関連してグラフィックデータが如何に表示されるべきかを処理及び定義できるようにする。結局、Ａ／Ｖソース２０１は視聴者親和的ディスプレイ及び／またはグラフィックユーザーインタフェース（ＧＵＩ）を提供し、これはＡ／Ｖターゲット２０２のディスプレイ仕様及び／またはディスプレイ機能に対する効果的な利用を可能にする。
【００３０】
本発明の他の特徴及び長所が図３と図４を参照して説明する。図３及び図４はビデオ／グラフィックのソースがＳＴＢであってＡ／Ｖターゲットがディジタルテレビジョン受像機（ＤＴＶ）である本発明の実施形態を図示している。
【００３１】
図３のシステム３００は、ＩＥＥＥ １３９４シリアルインタフェース３０９を通して相互通信するＳＴＢ３０１とＤＴＶ３０２とを含む。この例でＩＥＥＥ１３９４インタフェースが記述されたが、この分野の当業者にはどの通信インタフェース、標準及び／またはプロトコルでも本発明の真の精神と範疇を外れないで用いられうるということが理解できることである。ＳＴＢ３０１とＤＴＢ  ３０２は限定しようということでない例として挙げることができるＥＩＡ標準、ＥＩＡ−７７５Ａ及び／またはＥＩＡ−７９９によって左右できる。
【００３２】
ＳＴＢ３０１は、ＩＥＥＥ １３９４シリアルインタフェースを通してＤＴＶ３０２からＤＴＶ３０２のディスプレイ仕様及び機能に関する情報を提供する特性情報を受信する。ＳＴＢ３０１はＤＴＶ３０２にグラフィックデータ、ビデオ信号（ＭＰＥＧ−２伝送ストリームのような）及びＤＴＶ３０２から受信されたディスプレイ仕様及び／またはディスプレイ機能に基盤したディスプレイ制御信号を伝送する。
【００３３】
ＤＴＶ３０２は、受信されたビデオ信号をデコーディングして復号化されたビデオ信号を算出するビデオデコーダ３０８をさらに含む。例えばビデオデコーダ３０８はＭＰＥＧ−２デコーダで有り得る。グラフィックデータはグラフィックプロセッサー３０６によって受信及び処理され、グラフィックプロセッサー３０６は受信されたグラフィックデータから、ビデオデコーダ３０８から出力された復号化されたビデオ信号と互換可能なフォーマットで処理されたグラフィックデータを発生して、その処理されたグラフィックデータが復号化されたビデオ信号と一緒に混ざるようにする。
【００３４】
ＤＴＶ３０２は、ビデオデコーダ３０８から復号化されたビデオ信号及びグラフィックプロセッサー３０６からグラフィックデータを受信して、二信号を合成してビデオ合成信号を作るミキサー３０５をさらに含む。ミキサー３０５はビデオ合成信号をフォーマット変換部３０４に出力して、フォーマット変換部３０４はビデオ合成信号をアナログからディジタル等に変換して変換されたビデオ信号である、たとえばＲＧＢ、ＣＶＢＳ、Ｙ、Ｃ信号などをディスプレイ３０３に伝送する。ディスプレイ３０３はビデオ及び／またはグラフィックを視聴者にディスプレイする。
【００３５】
グラフィックプロセッサー３０６、ビデオデコーダ３０８及びミキサー３０５各々はＤＴＶ３０２にあるＣＰＵ  ３０７によって少なくとも部分的にＳＴＢ３０１から受信されたディスプレイ制御信号に基づいて制御される。ＣＰＵ  ３０７はまたＳＴＢ３０１からの要請のようなことによって、ＤＴＶ３０２の仕様及び／または機能情報をＳＴＢ３０１に伝送する。ＣＰＵ  ３０７またはコントローラはマイクロプロセッサーやそれと類似の集積回路のようなプロセシング部を含む。
【００３６】
図３のシステム３００が作動する過程に対する実施形態を図４を参照してさらに説明する。ＳＴＢ３０１の初期設置やメモリがクリアされて初期フラグ条件が設定されるＳＴＢ３０１のパワーアップのように当業者によく知られている作動によって作動が始まる（４０１段階）。ＳＴＢ３０１はＤＴＶ３０２からディスプレイ仕様及び／またはディスプレイ機能情報を要請して読む（４０２段階）。この実施形態でディスプレイ仕様及び／またはディスプレイ機能情報の要請は、１９９８年４月１５日公開された、ＡＶ／Ｃディジタルインタフェース命令集合一般仕様、３．０バージョンに定義されたようなオーディオ／ビデオ制御トランザクション集合（ＡＶ／Ｃ  ＣＴＳ）から用いられる＜Ｏｐｅｎ  Ｄｅｓｃｒｉｐｔｏｒ／Ｒｅａｄ  Ｄｅｓｃｒｉｐｔｏｒ＞命令を含むことができ、この命令は単に参考用に明示したものである。ＡＶ／Ｃ  ＣＴＳ命令に応答して、ＤＴＶ３０２はＳＴＢ３０１にディスプレイ仕様及びディスプレイ機能情報を伝送する。
【００３７】
ディスプレイ仕様及び／またはディスプレイ機能情報はＤＴＶ３０２のディスプレイ仕様及び機能に対する情報ブロックを含むことができて、これが例えば下の表１に図示されたような形式で取られうる。
【表１】
0003801942.tif 000002
【００３８】
表１に図示されたように、情報ブロックは＜Ｃｏｍｐｏｕｎｄ＿Ｌｅｎｇｔｈ＞フィールド、＜Ｉｎｆｏ＿ｊＢｌｏｃｋ＿Ｔｙｐｅ＞フィールド、＜Ｐｒｉｍａｒｙ＿Ｆｉｅｌｄｓ＿Ｌｉｎｇｔｈ＞フィールドを含み、これらは集団的に特定情報ブロックの大きさ及び種を確認する。＜Ｓｐｅｃｉｆｉｅｒ＿Ｉｄ＞フィールドはＤＴＶ３０２製造者のような供給者情報のアイデンティティーを含む。＜ＰＩＧ＞はＤＴＶ３０２がＰＩＧ機能を支援しているか否かや、ＤＴＶ３０２が従うＰＩＧ標準によってその機能が支援されているかを指す。＜Ｖｉｄｅｏ  ｍｉｎ  Ｘ  ｐｏｓｉｔｉｏｎ＞、＜Ｖｉｄｅｏ  ｍａｘ  Ｘ  ｐｏｓｉｔｉｏｎ＞、＜Ｖｉｄｅｏ  ｍｉｎ  Ｙ  ｐｏｓｉｔｉｏｎ＞、＜Ｖｉｄｅｏ  ｍａｘＹ  ｐｏｓｉｔｉｏｎ＞は共にスクリーン上の規定された位置範囲を明示する。＜Ｖｉｄｅｏ  Ｓｉｚｅ＞フィールドは１／２、１／３、１／１６等のようなＤＴＶ３０２によって支援されるスケールファクタを示す。＜Ｄｏｕｂｌｅ  Ｓｃｒｅｅｎ＞フィールドはＤＴＶ３０２がダブルスクリーン（またはスプリット（ｓｐｌｉｔ）スクリーン）機能を支援しているか否かを示す。＜Ｌｅｆｔ  ｏｒ  Ｒｉｇｈｔ  Ｅｎａｂｌｅ＞フィールドはダブルスクリーンのどちら側からビデオ信号がディスプレイされるかを示す。＜Ｃｈｒｏｍａ  Ｋｅｙｉｎｇ＞フィールドと＜Ｃｏｌｏｒ  Ｋｅｙｉｎｇ＞フィールドとはクロマキーイングとカラーキーイング仕様がＤＴＶ３０２と応用可能なカラー情報が記述する適する文法によって支援されているか否かを明示する。情報ブロック内各フィールドの幅は相互相異なるものであり、ある数のビットでも備えることができるということは自明なことである。
【００３９】
図３及び図４を参照すると、４０３段階でＳＴＢ３０１は受信された情報ブロックからＤＴＶ３０２のディスプレイ仕様及び機能を得てそれに反応して、その仕様と機能情報をメモリ（図示せず）などの貯蔵領域に貯蔵する。４０４段階でＳＴＢ３０１はＤＴＶ３０２に伝送されるグラフィックデータがあるか否かを決定する。伝送されるグラフィックデータがなければ、伝送するグラフィックデータがある時まで４０４段階を繰り返す。
【００４０】
４０４段階でグラフィックデータがＤＴＶ３０２に送られると決定されると、ＳＴＢ３０１は４０５段階で予め貯蔵された仕様及び機能情報を読む。４０６段階で、ＳＴＢ３０１は伝送されるグラフィックデータの性格とＤＴＶ３０２のディスプレイ仕様及び機能によって適するディスプレイ制御信号を発生する。
【００４１】
この実施形態で、ディスプレイ制御信号はＡＶ／Ｃ  ＣＴＳで提供される“ｖｅｎｄｏｒ  ｄｅｐｅｎｄｅｎｔ  ｃｏｍｍａｎｄ（ベンダーによる命令）”の文法に従う制御命令を含む。しかしディスプレイ制御情報を提供するある他の信号が上述した命令を代わりに用いられることができることがこの分野の当業者には自明なことである。制御命令の例は表２に示している。
【表２】
0003801942.tif 000003
【００４２】
表２に図示された制御命令は、ＤＴＶ３０２がＰＩＧ機能を利用して（１０００、６００）位置にビデオウィンドウを置いてビデオウインドウの大きさを１／８に作ることができるようにする。さらに詳細に説明すると、＜ＡＶ／Ｃ  ＣＴＳ（０、ｘ０）＞フィールド、＜Ｃｔｙｐｅ＞フィールド、＜Ｓｕｂｕｎｉｔ＞フィールド、＜Ｓｕｂｕｎｉｔ＿Ｉｄ＞フィールド及び＜Ｏｐｃｏｄｅ（０ｘ００）＞フィールドはすべて共に、命令の種類（例えば、ベンダーに依存する種類）を明示する。＜Ｃｏｍｐａｎｙ＿Ｉｄ＞フィールドは特定命令を支援するベンダーを明示する。二つのビデオＸ位置フィールドは各々ビデオウィンドウの始めるＸ座標のうち最上位ビットと最下位ビットとを明示する。二つのビデオＹ位置フィールドは各々ビデオウィンドウの始めるＹ座標中最上位ビットと最下位ビットを明示する。
【００４３】
ダブルスクリーン、クロマキーイング、カラーキーイング機能等のような他の命令が上述したＰＩＧ命令と共にベンダーが定めた命令を用いたりある他の望ましくかつ可能な命令を用いて提供できるということが当業者には自明なことである。
【００４４】
４０７段階で、公式化されたディスプレイ制御信号、グラフィックデータ及びビデオ信号はＤＴＶ３０２に伝送されて、ＤＴＶ３０２は受信されたディスプレイ制御信号によってビデオ及びグラフィックをディスプレイする。
【００４５】
この特定実施形態で仕様及び機能情報はセットトップボックスに貯蔵されるが、情報が周期的に得られたりグラフィックデータが送られる時ごとに得られる時に情報の貯蔵が必ず必要とならない場合もあるということを当業者は理解できる。
【００４６】
本発明がそれによる実施形態を参照して説明したが、当業者によって本発明の上述した実施形態に対する多様な変形が本発明の精神と範疇から外れることがなく行われうる。
【００４７】
【発明の効果】
本発明によると、受信器／ディスプレイ装置のディスプレイ機能を最も効率的に利用しながらユーザー親和的なグラフィックディスプレイが可能になる。
【図面の簡単な説明】
【図１Ａ】  従来のグラフィックデータ伝送及びディスプレイシステムの例を示す。
【図１Ｂ】  全体スクリーンを占有しているグラフィックデータを表示する従来のディスプレイスクリーンの例を示す。
【図１Ｃ】  少なくとも一定領域のビデオディスプレイを遮りながらグラフィックデータディスプレイがビデオディスプレイ上に重畳されているグラフィックデータを表示する従来のディスプレイスクリーンの例を示す。
【図２Ａ】  本発明の一実施形態によるグラフィックデータ伝送及びディスプレイシステムを示す。
【図２Ｂ】  本発明の実施形態によって、ＰＩＰ表示機能が利用されているグラフィックデータを表示するディスプレイスクリーンを示す。
【図２Ｃ】  本発明の一実施形態によって、受信器のダブルスクリーン表示機能が利用されているグラフィックデータのディスプレイスクリーンを示す。
【図３】  本発明の一実施形態によって、Ａ／ＶソースとＡ／ＶターゲットとがＩＥＥＥ １３９４シリアルバスを通して相互連結される、図２に図示されたグラフィックデータ伝送及びディスプレイシステムを示す。
【図４】  本発明の一実施形態によって、グラフィックデータ伝送過程を述べるフローチャートを示す。
【符号の説明】
２００  システム
２０１  Ａ／Ｖソース
２０２  Ａ／Ｖターゲット
２０３  ディスプレイ
２０４  ミキサー
【図１Ａ】
0003801942.tif 000004
【図１Ｂ】
0003801942.tif 000005
【図１Ｃ】
0003801942.tif 000006
【図２Ａ】
0003801942.tif 000007
【図２Ｂ】
0003801942.tif 000008
【図２Ｃ】
0003801942.tif 000009
【図３】
0003801942.tif 000010
【図４】
0003801942.tif 000011